(57)【要約】【課題】組み合わせが外れにくく、仕切り部分のズレが生じ難い組仕切りを提供する。【解決手段】横仕切り板１と縦仕切り板２を縦横に組み合わせて使用する組仕切りで、横仕切り板１端部に差し込み部分１ａと戻り抑え部分１ｂを設け、差し込み部分１ａを縦仕切り板2に設けた差し込み用穴に差し込み、差し込み部分１ａを折り曲げて戻り抑え部分１ｂを逆方向に突出させることにより、差し込み部分１ａの抜けを防止し、また差し込み部分の位置と個数を調整することにより仕切り部分のズレを防止する。      【選択図】図１
0003151176.tif 000002
【実用新案登録請求の範囲】
【請求項１】
横仕切り板１と縦仕切り板２を縦横に組み合わせて使用する組仕切りで、横仕切り板１端部に突出した差し込み部分１ａと、差し込み部分１ａの基端に差し込み部分１ａと逆方向に突出した突起状の戻り抑え部分１ｂと、差し込み部分１ａの根本に折り曲げ用罫線１ｃを設け、縦仕切り板２に差し込み用穴２ａと作業用スリット２ｂを設け、前記差し込み部分１ａを前記差し込み用穴２ａに差し込み、差し込み部分１ａを折り曲げ用罫線１ｃに沿って折り曲げ、戻り抑え部分１ｂを作業用スリット２ｂに通り抜けさせると、差し込み部分１ａが差し込み用穴２ａから抜けることを防止する組仕切り。
【請求項２】
作業用スリット２ｂの根本に戻り抑え部分１ｂより小さい補助穴２ｃを設け、戻り抑え部分１ｂの通り抜けを補助することを特徴とする請求項１に記載の組仕切り。
【請求項３】
横仕切り板１と縦仕切り板２を縦横に組み合わせて使用する組仕切りで、横仕切り板１端部に突出した差し込み部分１ａと、差し込み部分１ａの基端に差し込み部分１ａと逆方向に突出した突起状の戻り抑え部分１ｂと、差し込み部分１ａの根本に折り曲げ用罫線１ｃを設け、縦仕切り板２に差し込み用穴２ａと戻り抑え部分１ｂより小さい補助穴２ｃを設け、前記差し込み部分１ａを前記差し込み用穴２ａに差し込み、差し込み部分１ａを折り曲げ用罫線１ｃに沿って折り曲げ、戻り抑え部分１ｂを補助穴２ｃに通り抜けさせると、差し込み部分１ａが差し込み用穴２ａから抜けることを防止する組仕切り。
【考案の詳細な説明】
【技術分野】
【０００１】
本考案は、倒れやすい物または複数の物を収納する包装箱に用いられる組仕切りの形状に関するものである。
【背景技術】
【０００２】
従来、倒れやすい物または複数の物を包装箱に収納する場合、図７に示すような組仕切りが箱に組み込まれ使用されている。この組仕切りは垂直方向に形成したスリットを介して、横仕切り板３と縦仕切り板４とを直角に交差させて、上下方向から組み合わせる形状であった。
【０００３】
縦横の仕切り板のスリットの長さは、垂直方向の長さの約半分の長さであった。
【０００４】
縦横の仕切り板のスリットの位置は、組み合わせた時の強度を保つために、３ａのようにスリットと仕切り板の端まである程度の幅を取る必要があった。
【先行技術文献】
【特許文献】
【０００５】
【特許文献１】特開２００４−４２９１９号公報
【特許文献２】実用新案登録第３１２３０８５号公報
【考案の概要】
【考案が解決しようとする課題】
【０００６】
しかし従来の技術では、縦横の仕切り板はスリットを介して組み合わせるだけなので、組み合わせが外れやすいという問題点があった。
【０００７】
背の高い仕切りの場合、スリットが長くなるために仕切りの位置にズレが生じやすく、仕切りによって形成される区画の形状が不安定になりやすい。
【０００８】
仕切り板のスリットと板の端までの幅が、包装箱に組み入れて使用する時に無駄なスペースになる。
【０００９】
上記の無駄を省くために端末を曲げて使用する場合があるが、板が元に戻ろうとする力により包装箱が変形する。
また、元に戻ろうとする力を抑えて固定するために、テープ貼りなどの別の加工が必要となる。
【課題を解決するための手段】
【００１０】
本考案は、横仕切り板端部に突出した差し込み部分と、板を曲げた時に元に戻ろうとする力を抑えるために前記差し込み部分の基端の逆方向に突起状の抑え形状を作り、縦仕切り板に横仕切り板の差し込みが入る穴と抑えを支える形状を作り、組み合わせた時に差し込みと抑えを折り曲げると、折れ曲がった状態で固定される形状となることを要旨とする。
【考案の効果】
【００１１】
横仕切り板の差し込み部分が折り曲げられた状態で固定されることにより、
・組み合わせの外れ止めになる。
・端末部分のスペースが必要なくなる。
・端末部分を別工程による加工で固定しなくてよい。
【００１２】
横仕切り板の差し込み部分と縦仕切り板の穴形状の位置と個数を任意に設定できるため、仕切りの位置にずれが生じにくく、仕切りによって形成される区画が安定した形状にできる。
【図面の簡単な説明】
【００１３】
【図１】この考案の実施形体の１例を示す斜視図である。
【図２】横仕切り板  平面図
【図３】請求項1における  縦仕切り板  平面図
【図４】請求項２における  縦仕切り板  平面図
【図５】組み付け要領図
【図６】組み付け後の横仕切り板の差し込み部分と縦仕切り板の穴の関係を示す図
【図７】従来技術を示す斜視図
【考案を実施するための形態】
【００１４】
この考案の実施形態を説明する。
この考案の組仕切りの素材は段ボールもしくはプラ段等の樹脂シートであり、曲げることが可能な強度と厚みを持った素材が適している。
本考案の組仕切りは少なくとも１枚の縦板材と１枚の横板材をＴ字型に組み合わせて使用する。
【００１５】
本考案の実施例の図面を参照して説明する。
図１は本考案の実施形体の１例を示す斜視図である。図２は横仕切り板、図３及び図４は縦仕切り板の平面図を示す。これらの仕切り板はいずれも段ボール等の板材で形成され、略同一高さに設定されている。図１の組仕切りは図２の横仕切り板２枚と図４の縦仕切り板２枚とを組み合わせたものである。
【００１６】
図２の横仕切り板は組み合わせた時に収納する物を支える仕切り部分と差し込み部分（１ａ）、差し込み部分と反対側に突出している突起の形状で曲げた時の戻り抑え部分（１ｂ）、曲げ用の罫線（１ｃ）からなる。差し込みの位置と個数は任意に設定が可能である。
【００１７】
図３及び図４の縦仕切り板は組み合わせた時に収納するものを支える仕切り部分と差し込み用の穴部分（２ａ）、作業用のスリット（２ｂ）、補助穴（２ｃ）からなる。
２ｃの大きさは１ｂよりも一回り小さくする。
穴の位置と個数は任意に設定可能である。
【００１８】
図５の5ａから５ｃは組み合わせ要領を示した図である。
組み合わせ要領は
５ａのように、縦仕切り板の穴（２ａ）に横仕切り板の差し込み部分（１ａ）を差し込む。
５ｂのように、差し込み部分（１ａ）と戻り抑え部分（１ｂ）が折れ曲がらないように罫線に沿って折り曲げ、１ｂが２ｃを通り抜けるようにする。このとき２ｂのスリットが広がることにより、１ｂの通り抜けが容易になる。
５ｃのように、曲げが終わると２ｃの穴が元の大きさに戻り、図６のように１ｂよりも２ｃのほうが一回り小さい形状になっているため、戻り抑え部分を受けることで折り曲げが元に戻ろうとする力を抑え、差し込み部分が曲がった状態のまま組合せが固定される。
【符号の説明】
【００１９】
１    横仕切り板
１ａ  差し込み部分
１ｂ  戻り抑え部分
１ｃ  折り曲げ用罫線
２    縦仕切り板
２ａ  差し込み用穴
２ｂ  作業用のスリット
２ｃ  補助穴
３    従来技術による横仕切り板
３ａ  従来技術による、仕切り端末部分の無駄なスペース
４    従来技術による縦仕切り板
５ａ  組み付け手順  差し込み前の状態
５ｂ  組み付け手順  曲げ途中の状態
５ｃ  組み付け手順  曲げ終わり（固定）状態
【図１】
0003151176.tif 000003
【図２】
0003151176.tif 000004
【図３】
0003151176.tif 000005
【図４】
0003151176.tif 000006
【図５】
0003151176.tif 000007
【図６】
0003151176.tif 000008
【図７】
0003151176.tif 000009